(57)【要約】【課題】  小径竿体の伸長操作時に小径竿体の竿元側外嵌部の外周面が大径竿体の大径中間部分の内面に衝撃的に当接することを抑制し、衝撃力の緩和及び衝撃音の発生を抑制し、釣り人の違和感を解消できる伸縮式竿を提供する。【解決手段】  元竿１の竿軸線方向における中間位置に、元竿１に竿径が急拡大する急拡径部分７Ｃを形成する。元竿１の竿先側内嵌面１ａの嵌合長さＬ１を元上２の竿元側外嵌面２ｂの嵌合長さＬ２より長くし、元上２の竿元側外嵌面２ｂが元竿１の竿元側内嵌面１ｂから脱してその元竿の竿元側内嵌面１ｂの竿先側近傍に位置する状態であっても、元竿１の竿先側内嵌面１ａに嵌合する状態を維持するように構成してある。【選択図】        図１
2008131884.tif 000002
【特許請求の範囲】
【請求項１】
小径竿体の竿先側外嵌面を大径竿体の竿先側内嵌面に嵌合させるとともに前記小径竿体の竿元側外嵌面を前記大径竿体の竿元側内嵌面に嵌合させることにより、前記小径竿体を前記大径竿体内に収納した収縮状態に保持し、前記小径竿体の竿元側外嵌面を前記大径竿体の竿先側内嵌面に嵌合させることにより、前記小径竿体を前記大径竿体より引き出した伸長状態に保持する伸縮式竿であって、
前記大径竿体の竿軸線方向における中間位置に、前記大径竿体の他の部位に比べて竿元側ほど竿径が急拡大する急拡径部分を形成するとともに、前記小径竿体を前記大径竿体より引き出す伸長状態に切り換える際に、前記小径竿体の竿元側外嵌面が前記大径竿体の竿元側内嵌面から脱した状態で、前記小径竿体の竿先側外嵌面が前記大径竿体の竿先側内嵌面に嵌合する状態を維持するように、前記小径竿体の竿先側外嵌面に嵌合する前記大径竿体の竿先側内嵌面における竿軸線方向に沿った嵌合長さを、前記大径竿体の竿元側内嵌面に嵌合する前記小径竿体の竿元側外嵌面における竿軸線方向に沿った嵌合長さより長くしてある伸縮式竿。
【請求項２】
前記大径竿体の竿元側内周面に弾性保持体を装着し、前記弾性保持体の保持内周面で前記小径竿体の竿元側外嵌面を保持すべく構成してある請求項１記載の伸縮式竿。
【発明の詳細な説明】
【技術分野】
【０００１】
本発明は、小径竿体の竿先側外嵌面を大径竿体の竿先側内嵌面に嵌合させるとともに前記小径竿体の竿元側外嵌面を前記大径竿体の竿元側内嵌面に嵌合させることにより、前記小径竿体を前記大径竿体内に収納した収縮状態に保持し、前記小径竿体の竿元側外嵌面を前記大径竿体の竿先側内嵌面に嵌合させることにより、前記小径竿体を前記大径竿体より引き出した伸長状態に保持する伸縮式竿に関する。
【背景技術】
【０００２】
元来、大径竿体において、釣り竿として持ち重り感等を軽減する方策としては、中竿や穂先竿等を細径化することが望ましい。一方、元竿の握り部としては、最適な握り径が必要である。
これら両方の要求を満たすものとして、大径竿体の竿軸線方向における中間位置に、前記大径竿体の他の部位に比べて竿元側ほど竿径が急拡大する急拡径部分を形成するものがあった（特許文献１参照）。
このような構成によって、元竿の握り部として十分な握り径を確保しながら、元上等の中竿径を細い径にすることができるのである。
【０００３】
【特許文献１】特開２００４−１７３６８２号公報（段落番号〔００５９〕、及び、図８）
【発明の開示】
【発明が解決しようとする課題】
【０００４】
ところで、図５に示すように、元竿１の竿軸線方向での中間位置に急拡径部分１Ｂを形成したものでは、元上２を元竿内から伸長させた状態で、元上２の竿元側外嵌部２Ｂの竿元側外嵌面を元竿１の竿先端部１Ａの竿先側内嵌面に嵌合させる必要があるところから、元上２の竿元側外嵌面の外径は、元竿１の竿先側内嵌面の内径と略同径に設定される。
そうすると、急拡径部分１Ｂより竿元側に位置する大径中間部分は、竿先側内嵌面及び竿元側内嵌面より大径である一方、その元竿１の竿先側内嵌面及び竿元側内嵌面と同一径である元上２の竿元側外嵌面の外径は、大径中間部分の内面径に対してかなり小さなものであり、元竿１の大径中間部分の内周面と元上２の竿元側外嵌面との間に、大きな間隙が形成されることとなる。
このような元上２と元竿１との関係において、元上２を元竿１から咄嗟に伸長状態に切り換える場合には、元上２の竿元側外端部２Ｂが急に拘束状態から解放されることとなる。その上に、釣り人が、元竿１が元上２を保持する保持力に抗する操作力で元上２を引き抜いた勢いとが加わって、元上２が元竿１に対して大きな芯ズレ状態を起こし、元上２の竿元側外嵌部２Ｂの竿元側外嵌面が元竿１の大径中間部分の内面に衝撃的に当接することがある。
このような場合には、衝撃音が発生し元竿を持つ釣り人の手にその衝撃力が伝わり、釣り人が違和感を感じることがある。
【０００５】
本発明の目的は、小径竿体の伸長操作時に小径竿体の竿元側外嵌部の外周面が大径竿体の大径中間部分の内面に衝撃的に当接することを抑制し、衝撃力の緩和及び衝撃音の発生を抑制し、釣り人の違和感を解消できる伸縮式竿を提供する点にある。
【課題を解決するための手段】
【０００６】
〔構成〕
請求項１に係る発明の特徴構成は、前記大径竿体の竿軸線方向における中間位置に、前記大径竿体の他の部位に比べて竿元側ほど竿径が急拡大する急拡径部分を形成するとともに、前記小径竿体を前記大径竿体より引き出す伸長状態に切り換える際に、前記小径竿体の竿元側外嵌面が前記大径竿体の竿元側内嵌面から脱した状態で、前記小径竿体の竿先側外嵌面が前記大径竿体の竿先側内嵌面に嵌合する状態を維持するように、前記小径竿体の竿先側外嵌面に嵌合する前記大径竿体の竿先側内嵌面における竿軸線方向に沿った嵌合長さを、前記大径竿体の竿元側内嵌面に嵌合する前記小径竿体の竿元側外嵌面における竿軸線方向に沿った嵌合長さより長くしてある点にあり、その作用効果は次の通りである。
【０００７】
〔作用〕
大径竿体に急拡径部分を設けてある。これによって、大径竿体の握り部の径を釣り人の握り易い径に設定しながら、元上や他の中竿等の小径竿体の径を細くでき、持ち重り感の少ない軽量な釣り竿を維持することができる。
このような大径竿体の形態を維持しながら、小径竿体の竿先側外嵌面に嵌合する大径竿体の竿先側内嵌面における竿軸線方向に沿った嵌合長さを、大径竿体の竿元側内嵌面に嵌合する小径竿体の竿元側外嵌面における竿軸線方向に沿った嵌合長さより長くしてある。
これによって、小径竿体を咄嗟に伸長状態に切り換える場合に、前記小径竿体の竿元側外嵌面が前記大径竿体の竿元側内嵌面から脱して近傍に位置する状態でも、前記小径竿体の竿先側外嵌面が前記大径竿体の竿先側内嵌面に嵌合する状態を維持する。
したがって、小径竿体が大径竿体に対して大きな芯ズレ状態を起こすことは少なく、小径竿体の竿元側外嵌面が衝撃的に当接することを回避し、衝撃音の発生、及び、振動の発生を抑制できる。
【０００８】
〔効果〕
したがって、大径竿体を持つ釣り人は違和感を感じることなく、小径竿体の伸縮操作が可能である。
【０００９】
請求項２に係る発明の特徴構成は、請求項１に係る発明において、前記大径竿体の竿元側内周面に弾性保持体を装着し、前記弾性保持体の保持内周面で前記小径竿体の竿元側外嵌面を保持すべく構成してある点にあり、その作用効果は次の通りである。
【００１０】
〔作用効果〕
小径竿体を大径竿体内に収納保持するのに、大径竿体とは別個の部材である弾性保持体を設けることによって、大径竿体とは関係なく、弾性保持体に要求される寸法、及び、小径竿体の竿元側外嵌面を保持するに必要な嵌合寸法等を製作し易い。
しかも、弾性保持体の磨耗損傷によりメインテナンスを行う場合にも、大径竿体とは別個に行うことができるので、それだけ、メインテナンス作業も容易である。
【発明を実施するための最良の形態】
【００１１】
鮎竿等Ａに使用される伸縮式竿について説明する。図１〜図３に示すように、大径竿体としての元竿１の内部空間で竿元側の部分に、小径竿体としての元上２を保持する弾性保持体３を内嵌保持するとともに、弾性保持体３の竿元側に座ゴム４を内装し、座ゴム４の更に竿元側に尻栓５を螺着して、元竿１を構成する。
【００１２】
図１〜図３に示すように、元竿１においては、竿先側に小径の竿先端部１Ａを形成するとともに、竿元側に大径の竿元端部１Ｃを形成し、竿先端部１Ａと竿元端部１Ｃとの間に、その竿先端部１Ａの傾斜度Ｐと竿元端部１Ｃの傾斜度Ｐ’より急傾斜度Ｑで竿元側ほど内外径を拡大する急拡径部分１Ｂを形成する。
【００１３】
図１〜図３に示すように、元上２は、細径の竿本体２Ａの竿元側端部をその竿本体２Ａの外径より大径の膨出部に形成し、軸線方向に沿った一定長さの竿元側外嵌部２Ｂに構成してある。そして、竿元側外嵌部２Ｂの外周面を竿元側外嵌面２ｂと称する。一方、竿元側外嵌部２Ｂの竿先側に竿元側外嵌部２Ｂと同様の外径を有する中間外嵌部２Ｃを形成してある。中間外嵌部２Ｃの外周面を竿先側外嵌面２ｃと称する。
【００１４】
弾性保持体３について説明する。図１〜図３に示すように、弾性保持体３は、元竿１の竿元側内周面に内嵌する外向き筒状面３Ａを形成するとともに、外向き筒状面３Ａの竿元端相当位置に鍔部３ａを形成し、元上２の竿元側外嵌部２Ｂを嵌合すべく軸線方向に沿って挿入孔３Ｂを形成するとともに挿入孔３Ｂより更に内向きに嵌合突起３ｂを円周方向６箇所に設けて、構成されている。
ここで、嵌合突起３ｂの保持内周面を大径竿体の竿元側内嵌面１ｂと称する。
【００１５】
図１〜図３に示すように、弾性保持体３における竿先端側に位置する前端に、内部空間側ほど小径となって挿入孔３Ｂに繋がる傾斜面３ｃを設けてあり、元上２の竿元側外嵌部２Ｂが芯ズレによって傾斜面３ｃに当接する状態で挿入されることとなっても、挿入孔３Ｂに円滑に誘導する構成を採ることができる。弾性保持体３における挿入孔３Ｂの嵌合突起３ｂより更に竿元側には、雌ネジ３ｄを刻設して、尻栓５を螺着するように構成してある。
弾性保持体３に使用する材料としては、ＡＢＳ、ジュラコン等の熱可塑性樹脂、または、二トリルゴムやクロロプレンゴム等が使用でき、その他、軟性樹脂等が使用可能である。弾性保持体３の斜面３ｃの表面部分に、弾性保持体３とは異なる材料の二トリルゴム、クロロプレンゴム等のライニング材を施してもよく、また、弾性材等を表面に吹き付けることによって装着させて、弾性力を表面に付与するものであってもよい。
一方、元竿１の竿先端部１Ａの内周面を竿先側内嵌面１ａと称する。
【００１６】
以上のような構成により、図２に示すように、元上２の竿元側外嵌面２ｂを元竿１の竿先側内嵌面１ａに嵌合させることにより、元上２を元竿１より引き出した伸長状態に保持する。図１に示すように、元上２の竿元側外嵌面２ｂを、弾性保持体３の嵌合突起３ｂの竿元側内嵌面１ｂに嵌合させ、かつ、元上２の竿先側外嵌面２ｃを元竿１の竿先側内嵌面１ａに嵌合させることにより、元上２を元竿１内に収納した収縮状態に保持することができる。
【００１７】
次に、元竿１についての製造方法について説明する。図４に示すように、マンドレル７を、竿先側に小径部分７Ａと、竿元側に大径部分７Ｂと、小径部分７Ａと大径部分７Ｂとの間に竿元側ほど大径化する急拡径部分７Ｃとを配置して構成してある。
【００１８】
図４に示すように、炭素繊維等の強化繊維を周方向に引き揃えたものに、エポキシ、不飽和ポリエステル、フェノール等の熱硬化性樹脂を含浸させて形成したプリプレグシートを所定形状に裁断した第１メインパターン６Ａと、強化繊維を軸線方向に引き揃えたプリプレグシートを所定形状に裁断した第２メインパターン６Ｂと、強化繊維を周方向に引き揃えたプリプレグシートを所定形状に裁断した第３メインパターン６Ｃとを、順番にマンドレル７に巻回する。
又は、３つのプリプレグシートを重ね合わせてマンドレル７に巻回する。
【００１９】
メインパターンの形状について説明する。図４に示すように、第１メインパターン６Ａは、竿先側相当位置より、マンドレル７の小径部分７Ａに巻回される第１台形部分６ａと、マンドレル７の急拡径部分７Ｃに巻回される第３台形部分６ｃと、マンドレル７の大径部分７Ｂに巻回される第２台形部分６ｂとを、一体のものとして構成されている。
【００２０】
図４に示すように、以上のように構成された第１メインパターン６Ａとともに、同一の平面形状を呈する第２メインパターン６Ｂ、第３メインパターン６Ｃとを順番にマンドレル７に巻回し（又は重ね合わせた状態で一度に巻回し）、マンドレル７にメインパターンを巻回した状態で、図示してはいないが、ポリプレンテープ若しくはポリエステルテープを巻回してメインパターンを巻き締め、テープによって巻き締められたメインパターンをマンドレル７とともに焼成し、焼成後マンドレル７を脱芯し、焼成後の竿素材を所定長さに裁断し、研磨処理を行って竿体を形成する。
【００２１】
竿先端、竿元端には、軸線方向の長さがメインパターン６Ａ等に比べて短い補強パターンを巻回するが、ここでは省略してある。
また、更には、細幅のプリプレグテープをメインパターン６Ａ等の上から、或いは、メインパターン同士の間に挟みこむ状態で巻回する構成を採ってもよい。
【００２２】
請求項１に係る、元上２を元竿１より引き出す伸長状態に切り換える際に、元上２の竿元側外嵌面２ｂが弾性保持体３の保持内周面としての竿元側内嵌面１ｂから脱して竿先側近傍に位置する状態で、元上２の竿先側外嵌面２ｃが元竿１の竿先側内嵌面１ａに嵌合する状態を維持するように構成してある点についての具体構成を説明する。
図３（イ）に示すように、元竿１の竿先端部１Ａの竿先側内嵌面１ａを、元上２の中間外嵌部２Ｃに形成された竿先側内嵌面２ｂに嵌合する嵌合長さＬ１で構成する。一方、元上２の竿元側外嵌部２Ｂの竿元側外嵌面２ｂを、元竿１の竿元端部１Ｃに形成された竿元側内嵌面１ｂに嵌合する嵌合長さＬ２で構成する。
【００２３】
ここに、嵌合長さＬ１は、元上２を元竿１に収納した状態からその収納状態を脱して引き出した状態までの過程においても、元上２の中間外嵌部２Ｃの竿先側外嵌面２ｃを保持し得る、元竿１の竿先端部１Ａの竿先側内嵌面１ａの長さをいう。嵌合長さＬ２は、元上２を元竿１に収納した状態において、元上２の竿元側外嵌部２Ｂの外周面における竿軸線方向に沿った全長ではなく、弾性保持体３の竿元側内嵌面１ｂに保持された長さをいう。
したがって、嵌合長さＬ１、Ｌ２の長さとしては、元竿１の竿先端部１Ａの竿先側内嵌面１ａ、及び、元上２の竿元端外嵌部２Ｂの竿軸線方向に沿った全長ではなく、元竿１の竿先側内嵌面より竿先側に位置する部分は嵌合に寄与しない部分となるので、ここでは含めない。
そして、元竿１の竿先端部１Ａの竿先側内嵌面１ａの嵌合長さＬ１を、元上２の竿元側外嵌面の嵌合長さＬ２より長く設定してある。
【００２４】
図３（イ）に示すように、元上２を元竿１に収納した状態において、元上２の竿先側外嵌面２ｃを元竿１の竿先側内嵌面１ａに嵌合させるとともに、元上２の竿元端外嵌面２ｂを弾性保持体３の竿元側内嵌面１ｂに内嵌する。この状態において、図３（ロ）に示すように、元上２を元竿１より引き出して行くと、元上２の竿元側外嵌面２ｂが弾性保持体３から離間する。この場合においても、元竿１の竿先端部１Ａの竿先側内嵌面１ａの嵌合長さＬ１を、元上２の竿元側外嵌面の嵌合長さＬ２より長く設定してあるので、元竿１の竿先側内嵌面１ａが元上２の中間外嵌部２Ｃの竿先側外嵌面２ｃとの嵌合状態を維持している。
これによって、元上２が元竿１に対して芯ズレを起こすことが抑制され、衝突音の発生や振動等を抑制し、釣り人が感ずる違和感を解消する。
【００２５】
〔別実施形態〕
（１）  元竿１の竿先端部１Ａにおける竿先側内嵌面１ａに嵌合保持される元上２の中間外嵌部２Ｃの竿先側外嵌面２ｃの竿軸線方向長さｗを、図６に示すように、元竿１の竿先端部１Ａの軸線方向長さより短い長さに限定してもよく、或いは、図７に示すように、元竿１の竿先端部１Ａの軸線方向長さに相当する長いものに設定してもよい。
尚、元竿１の竿先側内嵌面２ｃの嵌合長さＬ１は、図６及び図７に示すものとなる。
（２）  元上２の竿元側外嵌部２Ｂを嵌合するのに、弾性保持体３を元竿１内に設けたが、元竿１内に、樹脂塗料を膨出形成して、弾性保持体３の代わりに機能するものを導入してもよい。ここに、弾性保持体３と樹脂塗料を膨出形成したもの等を総称して、大径竿体の竿元側内嵌面という。
（３）  元竿１と元上２とで伸縮する構造を構成したが、他の中竿同士で伸縮構造を構築してもよい。
【図面の簡単な説明】
【００２６】
【図１】元上を元竿内に収納した状態を示す縦断側面図
【図２】元上を元竿から引き出して伸長状態に切り換えた状態を示す縦断側面図
【図３】（イ）元上を元竿内に収納した状態を示す縦断側面図、（ロ）元上を元竿から引き出した状態を示す縦断側面図
【図４】マンドレルにプリプレグシートを巻回する前の状態を示す斜視図
【図５】元上の竿元側外嵌面が元竿の大径中間部分に当接する状態を示す縦断側面図
【図６】元竿の竿先端部に対する元上の中間外嵌部の竿先側外嵌面における嵌合長さの短いものを示す縦断側面図
【図７】元竿の竿先端部に対する元上の中間外嵌部の竿先側外嵌面における嵌合長さの短いものを示す縦断側面図
【符号の説明】
【００２７】
１            元竿（大径竿体）
１Ａ          元竿の竿先端部
１Ｂ          元竿の急拡径部分
１ａ          元竿の竿先側内嵌面
１ｂ          元竿の竿元側内嵌面
２            元上（小径竿体）
２ｂ          元上の竿元側外嵌面
２ｃ          元上の竿先側内嵌面
３            弾性保持体
Ｌ１,Ｌ２      嵌合長さ
【図１】
2008131884.tif 000003
【図２】
2008131884.tif 000004
【図３】
2008131884.tif 000005
【図４】
2008131884.tif 000006
【図５】
2008131884.tif 000007
【図６】
2008131884.tif 000008
【図７】
2008131884.tif 000009